(57)【要約】【課題】コンテンツの映像データおよび音声データが交互に記憶媒体に記録されている場合において、コンテンツの再生が開始される際にかかる時間を短縮することが可能な再生装置を提供する。【解決手段】ＤＶＤプレーヤは、ＤＶＤ１５０からコンテンツを読み取る光ピックアップと、光ピックアップにより読み取られたコンテンツの再生を制御する制御部と、記憶部とを備える。記憶部は、再生時刻が同時刻である映像データ１５３ｂおよび音声データ１５１ａの間に所定のデータ１５６が配置されている場合に、音声データ１５１ａを記憶する。また、記憶部は、再生時刻が同時刻である映像データ１５４ｂおよび音声データ１５２ａの間に所定のデータ１５６が配置されている場合に、音声データ１５２ａを記憶する。【選択図】図２
2011015108.tif 000002
【特許請求の範囲】
【請求項１】
コンテンツの映像データおよび音声データを交互に記憶するとともに、映像データおよび音声データ以外の所定のデータを記憶する記憶媒体からデータを読み取る読取部と、
前記読取部により読み取られたコンテンツの再生を制御する制御部と、を備えた再生装置において、
再生時刻が同時刻である映像データおよび音声データの間に所定のデータが配置されている場合に、その映像データまたは音声データを記憶する記憶部をさらに備える、ことを特徴とする再生装置。
【請求項２】
請求項１に記載の再生装置において、
前記読取部により読み取られた映像データを一時的に記憶する映像バッファメモリと、
前記読取部により読み取られた音声データを一時的に記憶する音声バッファメモリと、をさらに備え、
前記制御部は、再生指令を受け付けた場合において、再生開始時刻の映像データおよび音声データの間に所定のデータが配置されている場合に、前記記憶部が記憶する音声データまたは映像データを前記音声バッファメモリまたは前記映像バッファメモリに出力する、ことを特徴とする再生装置。
【請求項３】
請求項１または請求項２に記載の再生装置において、
前記記憶媒体には、所定の再生時刻の音声データが、前記所定の再生時刻の映像データよりも先に前記読取部により読み取られるように、映像データおよび音声データが記録されており、
前記記憶部は、前記コンテンツの再生が開始される前に、再生時刻が同時刻である映像データおよび音声データの間に所定のデータが配置されている場合に、その音声データを予め記憶する、ことを特徴とする再生装置。
【請求項４】
請求項３に記載の再生装置において、
前記記憶部は、前記コンテンツの再生が開始される前に、再生時刻が同時刻である映像データおよび音声データの間に所定のデータが配置されている場合に、その映像データと所定のデータとの間に配置される音声データも予め記憶する、ことを特徴とする再生装置。
【発明の詳細な説明】
【技術分野】
【０００１】
本発明は、コンテンツの再生装置に関する。
【背景技術】
【０００２】
従来、コンテンツの再生装置が種々知られている（たとえば、特許文献１〜５参照）。
【０００３】
上記特許文献１には、コンテンツの映像データおよび音声データを交互に記憶する記憶媒体からデータを読み取る読取部と、読取部により読み取られた映像データを一時的に記憶する映像バッファメモリと、映像バッファメモリにより記憶された映像データを復号する映像復号器と、読取部により読み取られた音声データを一時的に記憶する音声バッファメモリと、音声バッファメモリにより記憶された音声データを復号する音声復号器と、映像復号器および音声復号器の動作を制御する制御部とを備えた再生装置が開示されている。
【０００４】
上記特許文献１の記憶媒体５００には、図５に示すように、音声データ５０１ａ、映像データ５０１ｂ、音声データ５０２ａ、映像データ５０２ｂ、音声データ５０３ａ、および、映像データ５０３ｂが順に記録されている。音声データ５０１ａおよび映像データ５０１ｂと、音声データ５０２ａおよび映像データ５０２ｂと、音声データ５０３ａおよび映像データ５０３ｂとは、それぞれ、同期再生される。
【０００５】
具体的には、読取部は、音声データと映像データとを交互に読み取る。このため、音声バッファメモリは、音声データ５０１ａ、５０２ａ、および、５０３ａを順に記憶する。一方、映像バッファメモリは、映像データ５０１ｂ、５０２ｂ、および、５０３ｂを順に記憶する。そして、制御部は、音声復号器により、音声データ５０１ａ、５０２ａ、および、５０３ａを順に復号するとともに、映像復号器により、映像データ５０１ｂ、５０２ｂ、および、５０３ｂを順に復号することによって、コンテンツの音声および映像が同期再生される。
【０００６】
また、従来では、図６に示すように、コンテンツの音声データ６０１ａ〜６０３ａおよび映像データ６０１ｂ〜６０３ｂが記録されるとともに、所定のデータ６０４が記録された記憶媒体６００も知られている。なお、所定のデータは、映像データおよび音声データ以外のデータであり、たとえば、映像データおよび音声データの位置情報などの管理データである。
【０００７】
音声データ６０１ａは、たとえば、再生時刻がＴ秒からＴ＋ｔ秒までの音声データである。また、音声データ６０２ａは、再生時刻がＴ＋ｔ秒からＴ＋２ｔ秒までの音声データである。また、音声データ６０３ａは、再生時刻がＴ＋２ｔ秒からＴ＋３ｔ秒までの音声データである。
【０００８】
映像データ６０１ｂは、たとえば、再生時刻がＴ−ｔ秒からＴ秒までの映像データである。また、映像データ６０２ｂは、再生時刻がＴ秒からＴ＋ｔ秒までの映像データである。また、映像データ６０３ｂは、再生時刻がＴ＋ｔ秒からＴ＋２ｔ秒までの映像データである。
【０００９】
したがって、音声データ６０１ａおよび映像データ６０２ｂと、音声データ６０２ａおよび映像データ６０３ｂとは、それぞれ、同期再生される。すなわち、所定の映像データに対して、同期再生される音声データが先に読み取られるようにシフトした状態で、音声データが記憶媒体６００に記録されている。なお、映像データ６０１ｂは、図示を省略した音声データと同時に再生され、音声データ６０３ａは、図示を省略した映像データと同時に再生される。
【００１０】
また、上記特許文献２には、映像データを記憶するメモリカードと、メモリカードにより記憶された映像データが再生される際に、映像データを一時的に格納する映像格納用メモリとを備えたデジタルビデオカメラが開示されている。このデジタルビデオカメラでは、高速再生モード時に、フレームが間引かれた映像データを映像格納用メモリに格納することによって、効率的にバッファリングを行うことが可能である。
【００１１】
また、上記特許文献３には、ダミーコードが検出された場合に、ダミーコードを削除するデータアクセス回路が開示されている。
【００１２】
また、上記特許文献４には、映像データを一時的に記憶するバッファメモリと、バッファメモリにより記憶された映像データを復号する復号回路とを備えたビデオサーバ装置が開示されている。このビデオサーバ装置では、復号回路がパディングデータを読み込んだ場合に、バッファメモリからパディングデータが削除される。なお、パディングデータとは、映像データの一単位を固定長とするために付加される水増し用のデータである。
【００１３】
また、上記特許文献５には、コンテンツを記憶する光ディスクからデータを読み取るディスクドライブ部と、ディスクドライブ部により読み取られたデータを一時的に記憶する先読みバッファとを備えた光ディスク再生装置が開示されている。この光ディスク再生装置では、再生に用いられない字幕などに関する情報が先読みバッファから削除される。
【先行技術文献】
【特許文献】
【００１４】
【特許文献１】特開２００３−２４４６５８号公報
【特許文献２】特開２００５−３２３０８９号公報
【特許文献３】特開２００７−３０４７９７号公報
【特許文献４】特開平１１−２７５５２５号公報
【特許文献５】特開２００６−２４４６６９号公報
【発明の概要】
【発明が解決しようとする課題】
【００１５】
しかしながら、上記特許文献１の再生装置において、たとえば、図６に示すような記憶媒体６００により記憶されたコンテンツがＴ秒から再生される場合には、読取部により矢印Ｐ４の地点から読み取りが開始される。すなわち、読取部により、音声データ６０１ａ、映像データ６０１ｂ、所定のデータ６０４、音声データ６０２ａ、映像データ６０２ｂ、音声データ６０３ａ、映像データ６０３ｂの順にデータが読み取られる。このとき、所定のデータ６０４は、Ｔ秒からの再生に不要であるにもかかわらず、読取部により読み取られるので、コンテンツの再生が開始される際に時間がかかるという問題点がある。
【００１６】
なお、上記特許文献２〜５に開示された再生装置では、コンテンツの映像データおよび音声データが交互に記憶媒体に記録されている場合において、所定のデータが読み取られることに起因して、コンテンツの再生が開始される際に時間がかかるという本発明の課題（問題点）が存在しない。
【００１７】
本発明は、上述した課題を解決するものであって、その目的とするところは、コンテンツの映像データおよび音声データが交互に記憶媒体に記録されている場合において、コンテンツの再生が開始される際にかかる時間を短縮することが可能な再生装置を提供することである。
【課題を解決するための手段】
【００１８】
本発明の再生装置は、コンテンツの映像データおよび音声データを交互に記憶するとともに、映像データおよび音声データ以外の所定のデータを記憶する記憶媒体からデータを読み取る読取部と、読取部により読み取られたコンテンツの再生を制御する制御部と、を備えた再生装置において、再生時刻が同時刻である映像データおよび音声データの間に所定のデータが配置されている場合に、その映像データまたは音声データを記憶する記憶部をさらに備える。
【００１９】
このように構成することによって、コンテンツの再生指令を受け付けた場合において、再生開始時刻の音声データおよび映像データの間に所定のデータが配置されている場合に、記憶部が記憶する音声データまたは映像データを用いることにより、読取部が所定のデータを無駄に読み取る必要がないので、コンテンツの再生が開始される際にかかる時間を短縮することができる。
【００２０】
上記再生装置において、読取部により読み取られた映像データを一時的に記憶する映像バッファメモリと、読取部により読み取られた音声データを一時的に記憶する音声バッファメモリと、をさらに備え、制御部は、再生指令を受け付けた場合において、再生開始時刻の映像データおよび音声データの間に所定のデータが配置されている場合に、記憶部が記憶する音声データまたは映像データを音声バッファメモリまたは映像バッファメモリに出力するようにしてもよい。
【００２１】
上記再生装置において、記憶媒体には、所定の再生時刻の音声データが、所定の再生時刻の映像データよりも先に読取部により読み取られるように、映像データおよび音声データが記録されており、記憶部は、コンテンツの再生が開始される前に、再生時刻が同時刻である映像データおよび音声データの間に所定のデータが配置されている場合に、その音声データを予め記憶するようにしてもよい。
【００２２】
この場合において、記憶部は、コンテンツの再生が開始される前に、再生時刻が同時刻である映像データおよび音声データの間に所定のデータが配置されている場合に、その映像データと所定のデータとの間に配置される音声データも予め記憶するようにしてもよい。
【発明の効果】
【００２３】
本発明によれば、コンテンツの映像データおよび音声データが交互に記憶媒体に記録されている場合において、コンテンツの再生が開始される際にかかる時間を短縮することが可能な再生装置を提供することができる。
【図面の簡単な説明】
【００２４】
【図１】本発明の一実施形態によるＤＶＤプレーヤの全体構成を示したブロック図である。
【図２】図１のＤＶＤの構成を説明するための図である。
【図３】図１のＤＶＤプレーヤの動作を説明するためのフローチャートである。
【図４】図１のＤＶＤプレーヤの動作を説明するためのフローチャートである。
【図５】従来の一例による記憶媒体の構成を説明するための図である。
【図６】従来の一例による記憶媒体の構成を説明するための図である。
【発明を実施するための形態】
【００２５】
以下、本発明の実施形態について、図面を参照しながら説明する。なお、以下の実施形態では、再生装置の一例であるＤＶＤプレーヤに本発明を適用した場合について説明する。
【００２６】
まず、図１を参照して、本発明の一実施形態によるＤＶＤプレーヤ１００の構成について説明する。
【００２７】
本実施形態によるＤＶＤプレーヤ１００は、図１に示すように、プレーヤ本体１と、プレーヤ本体１を遠隔操作するリモコン２とを備えている。
【００２８】
プレーヤ本体１は、光ピックアップ１１と、選択部１２と、映像バッファメモリ１３と、音声バッファメモリ１４と、管理データ用メモリ１５と、映像処理部１６と、音声処理部１７と、映像出力部１８と、音声出力部１９と、記憶部２０と、受信部２１と、制御部２２とを含んでおり、これらはバス１ａを介して接続されている。
【００２９】
光ピックアップ１１は、ＤＶＤ１５０に記録されたコンテンツのデータを読み取るとともに、読み取られたデータを選択部１２に出力する。なお、光ピックアップ１１は、本発明の「読取部」の一例であり、ＤＶＤ１５０は、本発明の「記憶媒体」の一例である。
【００３０】
ＤＶＤ１５０は、図２に示すように、コンテンツの音声データ１５１ａ〜１５５ａおよび映像データ１５１ｂ〜１５５ｂをそれぞれ再生時刻の順に交互に記憶するとともに、映像データ１５２ｂと音声データ１５３ａとの間に所定のデータ１５６を記憶している。なお、所定のデータ１５６は、映像データおよび音声データ以外のデータであり、たとえば、映像データおよび音声データの位置情報などの管理データである。また、図２では、簡略化のため、ＤＶＤ１５０に記録されたデータの一部のみを示した。
【００３１】
音声データ１５１ａは、たとえば、再生時刻が1.3秒から1.4秒までの音声データである。また、音声データ１５２ａは、再生時刻が1.4秒から1.5秒までの音声データである。また、音声データ１５３ａは、再生時刻が1.5秒から1.6秒までの音声データである。また、音声データ１５４ａは、再生時刻が1.6秒から1.7秒までの音声データである。また、音声データ１５５ａは、再生時刻が1.7秒から1.8秒までの音声データである。
【００３２】
映像データ１５１ｂは、たとえば、再生時刻が1.1秒から1.2秒までの映像データである。また、映像データ１５２ｂは、再生時刻が1.2秒から1.3秒までの映像データである。また、映像データ１５３ｂは、再生時刻が1.3秒から1.4秒までの映像データである。また、映像データ１５４ｂは、再生時刻が1.4秒から1.5秒までの映像データである。また、映像データ１５５ｂは、再生時刻が1.5秒から1.6秒までの映像データである。
【００３３】
したがって、音声データ１５１ａおよび映像データ１５３ｂと、音声データ１５２ａおよび映像データ１５４ｂと、音声データ１５３ａおよび映像データ１５５ｂとは、それぞれ、同時に再生されるデータである。なお、映像データ１５１ｂおよび１５２ｂは、図示を省略した音声データと同時に再生されるデータであり、音声データ１５４ａおよび１５５ａは、図示を省略した映像データと同時に再生されるデータである。すなわち、所定の映像データに対して、同期再生される音声データが先に読み取られるようにシフトした状態で、音声データがＤＶＤ１５０に記録されている。
【００３４】
そして、再生時刻が同時刻である音声データ１５１ａおよび映像データ１５３ｂの間には、所定のデータ１５６が配置されている。また、再生時刻が同時刻である音声データ１５２ａおよび映像データ１５４ｂの間にも、所定のデータ１５６が配置されている。
【００３５】
選択部１２は、図１に示すように、光ピックアップ１１から入力されたデータを判別して、映像バッファメモリ１３、音声バッファメモリ１４、または、管理データ用メモリ１５に出力する。具体的には、選択部１２は、光ピックアップ１１から映像データが入力された場合には、映像データを映像バッファメモリ１３に出力する。また、選択部１２は、光ピックアップ１１から音声データが入力された場合には、音声データを音声バッファメモリ１４に出力する。また、選択部１２は、光ピックアップ１１から管理データが入力された場合には、管理データを管理データ用メモリ１５に出力する。
【００３６】
映像バッファメモリ１３は、選択部１２から入力された映像データを一時的に記憶する。音声バッファメモリ１４は、選択部１２から入力された音声データを一時的に記憶する。管理データ用メモリ１５は、選択部１２から入力された管理データを記憶する。
【００３７】
映像処理部１６は、映像バッファメモリ１３に記憶された映像データを読み出すとともに、読み出された映像データに対して所定の処理を施す。そして、映像処理部１６は、所定の処理が施された映像信号を映像出力部１８に出力する。
【００３８】
音声処理部１７は、音声バッファメモリ１４に記憶された音声データを読み出すとともに、読み出された音声データに対して所定の処理を施す。そして、音声処理部１７は、所定の処理が施された音声信号を音声出力部１９に出力する。
【００３９】
映像出力部１８には、液晶テレビなどの表示装置（図示省略）が接続されており、映像出力部１８は、映像処理部１６から入力された映像信号を表示装置に出力する。表示装置は、映像出力部１８から入力された映像信号に基づいて映像を表示する。
【００４０】
音声出力部１９には、スピーカ（図示省略）が接続されており、音声出力部１９は、音声処理部１７から入力された音声信号をスピーカに出力する。スピーカは、音声出力部１９から入力された音声信号に基づいて音声を再生する。
【００４１】
記憶部２０は、コンテンツの再生が開始される前に、再生時刻が同時刻である映像データおよび音声データの間に所定のデータが配置されている場合、すなわち、所定のデータにより同時刻の映像データおよび音声データが分断されている場合に、その分断された音声データを予め記憶する。具体的には、図２の例では、再生時刻が同時刻である音声データ１５１ａおよび映像データ１５３ｂの間に所定のデータ１５６が配置されるとともに、再生時刻が同時刻である音声データ１５２ａおよび映像データ１５４ｂの間に所定のデータ１５６が配置されているので、記憶部２０には、音声データ１５１ａおよび１５２ａが記録される。
【００４２】
また、記憶部２０は、コンテンツの再生が開始される前に、所定のデータにより同時刻の映像データおよび音声データが分断されている場合に、その分断された映像データと所定のデータとの間に配置される音声データも予め記憶する。具体的には、図２の例では、分断された映像データ１５４ｂと所定のデータ１５６との間に配置される音声データ１５３ａおよび１５４ａが記憶部２０に記録される。
【００４３】
すなわち、記憶部２０は、コンテンツの再生が開始される前に、所定のデータにより同時刻の映像データおよび音声データが分断されている場合に、分断された音声データと分断された映像データとの間に配置される音声データを記憶する。また、記憶部２０は、たとえば、ＲＡＭであり、光ピックアップ１１がＤＶＤ１５０からデータを読み取る際に必要な時間に比べて、短い時間で記憶されたデータを出力することが可能である。
【００４４】
受信部２１は、フォトダイオードなどを含み、リモコン２から出力されるリモコン信号を受信する。リモコン２は、利用者からの操作指令を受け付ける操作ボタンや、操作指令に応じてリモコン信号を発信する発信部などを有する。
【００４５】
制御部２２は、ＣＰＵ、ＲＯＭ、および、ＲＡＭなどを有しており、映像処理部１６および音声処理部１７を用いてコンテンツの再生を制御する。
【００４６】
次に、図１〜図４を参照して、本実施形態によるＤＶＤプレーヤ１００の動作について説明する。なお、以下の動作説明では、コンテンツの再生が開始される際の動作について説明する。また、このフローチャートの各ステップは、制御部２２（図１参照）により実行される。
【００４７】
まず、ＤＶＤプレーヤ１００（図１参照）では、図３のステップＳ１において、ＤＶＤ１５０（図１参照）が挿入されたか否かが判断される。そして、ＤＶＤ１５０が挿入されていないと判断された場合には、ステップＳ１が繰り返し行われる。すなわち、ＤＶＤプレーヤ１００は、ＤＶＤ１５０が挿入されるまで待機する。そして、ＤＶＤ１５０が挿入されたと判断された場合には、ステップＳ２に移る。
【００４８】
次に、ステップＳ２において、映像データおよび音声データの位置情報などの管理データが取得される。具体的には、光ピックアップ１１（図１参照）により、ＤＶＤ１５０の管理データが読み取られ、その読み取られた管理データが選択部１２（図１参照）により、管理データ用メモリ１５（図１参照）に出力される。そして、管理データ用メモリ１５が管理データを記憶する。
【００４９】
次に、ステップＳ３において、管理データ用メモリ１５に記録されたデータに基づいて、映像データおよび音声データ以外の所定のデータが検索される。次に、ステップＳ４において、所定のデータが検出されたか否かが判断される。そして、所定のデータが検出されたと判断された場合には、ステップＳ５に移る。その一方、所定のデータが検出されていないと判断された場合には、ステップＳ７に移る。
【００５０】
次に、ステップＳ５において、管理データ用メモリ１５に記録されたデータに基づいて、検出された所定のデータにより分断された音声データがあるか否かが判断される。そして、分断された音声データがあると判断された場合には、ステップＳ６に移る。その一方、分断された音声データがないと判断された場合には、ステップＳ７に移る。なお、図２の例では、ステップＳ４において所定のデータ１５６が検出された場合には、所定のデータ１５６により同時刻の映像データ１５３ｂおよび１５４ｂに対して分断された音声データ１５１ａおよび１５２ａがあるので、ステップＳ６に移る。
【００５１】
次に、ステップＳ６において、分断された音声データを記憶部２０（図１参照）に記録する。具体的には、光ピックアップ１１により、ＤＶＤ１５０の音声データが読み取られ、その読み取られた音声データが記憶部２０に記録される。なお、このとき、分断された映像データと所定のデータとの間に配置される音声データも記憶部２０に記録される。図２の例では、前記の分断された音声データ１５１ａおよび１５２ａが記憶部２０に記録されるとともに、分断された映像データ１５４ｂと所定のデータ１５６との間に配置される音声データ１５３ａおよび１５４ａが記憶部２０に記録される。
【００５２】
次に、ステップＳ７において、管理データ用メモリ１５に記録されたデータに基づいて、ＤＶＤ１５０に記録された所定のデータが全て検出されたか否かが判断される。そして、所定のデータが全て検出されたと判断された場合には、図４のステップＳ８に移る。その一方、所定のデータが全て検出されていないと判断された場合には、ステップＳ３に戻る。
【００５３】
次に、図４のステップＳ８において、利用者からの再生指令を受け付けたか否かが判断される。具体的には、利用者によりリモコン２（図１参照）が操作されることによってリモコン２から出力される所定のリモコン信号を、受信部２１（図１参照）が受信したか否かが判断される。なお、この再生指令には、コンテンツの再生開始時刻が含まれている。そして、再生指令を受け付けていないと判断された場合には、ステップＳ８が繰り返し行われる。すなわち、ＤＶＤプレーヤ１００は、再生指令を受け付けるまで待機する。そして、再生指令を受け付けたと判断された場合には、ステップＳ９に移る。
【００５４】
次に、ステップＳ９において、管理データ用メモリ１５に記録されたデータに基づいて、再生開始時刻の音声データおよび映像データの位置が検出される。
【００５５】
次に、ステップＳ１０において、再生開始時刻の音声データおよび映像データが所定のデータにより分断されているか否かが判断される。すなわち、再生開始時刻の音声データおよび映像データの間に所定のデータが配置されているか否かが判断される。そして、再生開始時刻の音声データおよび映像データが分断されていると判断された場合には、ステップＳ１１に移る。たとえば、再生開始時刻が1.3秒である場合には、図２に示すように、音声データ１５１ａおよび映像データ１５３ｂの間に所定のデータ１５６が配置されているので、ステップＳ１１に移る。その一方、再生開始時刻の音声データおよび映像データが分断されていないと判断された場合には、ステップＳ１３に移る。たとえば、再生開始時刻が1.5秒である場合には、図２に示すように、音声データ１５３ａおよび映像データ１５５ｂの間に所定のデータが配置されていないので、ステップＳ１３に移る。
【００５６】
次に、ステップＳ１１において、再生開始時刻の音声データおよび映像データの間に配置される音声データが記憶部２０から選択部１２に出力される。そして、音声データが音声バッファメモリ１４に記録される。たとえば、再生開始時刻が1.3秒である場合には、記憶部２０に記録された音声データ１５１ａ〜１５３ａが選択部１２に出力される。そして、選択部１２が音声データ１５１ａ〜１５３ａを音声バッファメモリ１４に出力するので、音声データ１５１ａ〜１５３ａが音声バッファメモリ１４に記録される。
【００５７】
次に、ステップＳ１２において、光ピックアップ１１により、ＤＶＤ１５０の読み取りが再生開始時刻の映像データから開始される。たとえば、再生開始時刻が1.3秒である場合には、図２に示す矢印Ｐ１の地点から読み取りが開始される。すなわち、再生開始時刻の映像データ１５３ｂから、音声データ１５４ａ、映像データ１５４ｂ、音声データ１５５ａ、映像データ１５５ｂの順に読み取られる。そして、映像データ１５３ｂ、音声データ１５４ａ、映像データ１５４ｂ、音声データ１５５ａ、および、映像データ１５５ｂが順に光ピックアップ１１から選択部１２に出力される。
【００５８】
そして、選択部１２は、映像データ１５３ｂ〜１５５ｂを映像バッファメモリ１３に出力するとともに、音声データ１５４ａおよび１５５ａを音声バッファメモリ１４に出力する。そして、映像データ１５３ｂ〜１５５ｂが映像バッファメモリ１３に記憶されるとともに、音声データ１５４ａおよび１５５ａが音声バッファメモリ１４に記憶される。その結果、音声バッファメモリ１４には、再生開始時刻の音声データ１５１ａから順に、音声データ１５２ａ、１５３ａ、１５４ａ、および、１５５ａが記録されるとともに、映像バッファメモリ１３には、再生開始時刻の映像データ１５３ｂから順に、映像データ１５４ｂおよび１５５ｂが記録される。なお、音声バッファメモリ１４には、音声データ１５５ａに続く図示を省略した音声データが順次記録される。また、映像バッファメモリ１３には、映像データ１５５ｂに続く図示を省略した映像データが順次記録される。
【００５９】
また、ステップＳ１０において再生開始時刻の音声データおよび映像データが分断されていないと判断された場合には、ステップＳ１３において、光ピックアップ１１により、ＤＶＤ１５０の読み取りが再生開始時刻の音声データから開始される。たとえば、再生開始時刻が1.5秒である場合には、図２に示す矢印Ｐ２の地点から読み取りが開始される。すなわち、再生開始時刻の音声データ１５３ａから、映像データ１５３ｂ、音声データ１５４ａ、映像データ１５４ｂ、音声データ１５５ａ、映像データ１５５ｂの順に読み取られる。そして、音声データ１５３ａ、映像データ１５３ｂ、音声データ１５４ａ、映像データ１５４ｂ、音声データ１５５ａ、および、映像データ１５５ｂが順に光ピックアップ１１から選択部１２に出力される。
【００６０】
そして、選択部１２は、映像データ１５３ｂ〜１５５ｂを映像バッファメモリ１３に出力するとともに、音声データ１５３ａ〜１５５ａを音声バッファメモリ１４に出力する。そして、映像データ１５３ｂ〜１５５ｂが映像バッファメモリ１３に記憶されるとともに、音声データ１５３ａ〜１５５ａが音声バッファメモリ１４に記憶される。なお、映像データ１５３ｂおよび１５４ｂは、1.5秒からの再生に不要であるため、映像バッファメモリ１３から削除される。その結果、音声バッファメモリ１４には、再生開始時刻の音声データ１５３ａから順に、音声データ１５４ａおよび１５５ａが記録されるとともに、映像バッファメモリ１３には、再生開始時刻の映像データ１５５ｂが記録される。なお、音声バッファメモリ１４には、音声データ１５５ａに続く図示を省略した音声データが順次記録される。また、映像バッファメモリ１３には、映像データ１５５ｂに続く図示を省略した映像データが順次記録される。
【００６１】
次に、ステップＳ１４において、映像処理部１６（図１参照）により、映像バッファメモリ１３に記録された映像データが、再生開始時刻の映像データから順次読み出されるとともに、読み出された映像データに対して所定の処理が施される。そして、映像処理部１６により、所定の処理が施された映像信号が映像出力部１８（図１参照）に出力される。
【００６２】
また、音声処理部１７（図１参照）により、音声バッファメモリ１４に記録された音声データが、再生開始時刻の音声データから順次読み出されるとともに、読み出された音声データに対して所定の処理が施される。そして、音声処理部１７により、所定の処理が施された音声信号が音声出力部１９（図１参照）に出力される。
【００６３】
なお、映像処理部１６の出力と音声処理部１７の出力とは、制御部２２により同期が取られている。その結果、表示装置（図示省略）より映像が表示されるとともに、スピーカ（図示省略）により音声が再生されることによって、コンテンツの再生が開始される。
【００６４】
本実施形態では、上記のように、コンテンツの再生が開始される前に、再生時刻が同時刻である映像データおよび音声データの間に所定のデータが配置されている場合、すなわち、所定のデータにより同時刻の映像データおよび音声データが分断されている場合に、その分断された音声データを予め記憶する記憶部２０が設けられている。このように構成することによって、コンテンツの再生指令を受け付けた場合において、再生開始時刻の音声データおよび映像データの間に所定のデータが配置されている場合に、記憶部２０が記憶する音声データを用いることにより、光ピックアップ１１が所定のデータを無駄に読み取ったり、読み飛ばしたりする必要がないので、コンテンツの再生が開始される際にかかる時間を短縮することができる。
【００６５】
具体的には、たとえば、コンテンツの再生指令を受け付けた場合において、再生開始時刻が1.3秒である場合のように、再生開始時刻の音声データ１５１ａおよび映像データ１５３ｂの間に所定のデータ１５６が配置されている場合に、記憶部２０に記録された音声データ１５１ａ〜１５３ａを用いることによって、光ピックアップ１１がＤＶＤ１５０の読み取りを矢印Ｐ３の地点からではなく、矢印Ｐ１の地点から開始することができるので、所定のデータ１５６を無駄に読み取ったり、読み飛ばしたりする必要がないので、コンテンツの再生が開始される際にかかる時間を短縮することができる。
【００６６】
また、本実施形態では、記憶部２０は、コンテンツの再生が開始される前に、所定のデータにより同時刻の映像データおよび音声データが分断されている場合に、その分断された映像データと所定のデータとの間に配置される音声データも予め記憶する。このように構成することによって、コンテンツの再生指令を受け付けた場合において、再生開始時刻の音声データおよび映像データの間に所定のデータが配置されている場合に、記憶部２０が分断された映像データと所定のデータとの間に配置される音声データを出力することにより、光ピックアップ１１が分断された映像データと所定のデータとの間に配置される音声データをＤＶＤ１５０から読み取る必要がない。したがって、光ピックアップ１１によるＤＶＤ１５０の読み取りを再生開始時刻の映像データから開始することができる。
【００６７】
本発明は、上述した以外にも種々の実施形態を採用することができる。たとえば、上記実施形態では、記憶媒体の一例としてＤＶＤ１５０を示したが、これに限らず、ハードディスクを記憶媒体として用いてもよい。すなわち、再生装置の一例であるＤＶＤプレーヤ１００に本発明を適用する例を示したが、これに限らず、ハードディスクレコーダなどのその他の再生装置に本発明を適用してもよい。
【００６８】
また、上記実施形態では、図３のステップＳ６において、分断された音声データ１５１ａおよび１５２ａを記憶部２０が記憶する際に、分断された映像データ１５４ｂと所定のデータ１５６との間に配置される音声データ１５３ａおよび１５４ａも記憶部２０が記憶する例を示したが、これに限らず、分断された音声データ１５１ａおよび１５２ａのみを記憶部２０が記憶し、分断された映像データ１５４ｂと所定のデータ１５６との間に配置される音声データ１５３ａおよび１５４ａを記憶部２０が記憶していなくてもよい。この場合には、記憶部２０が音声データ１５３ａを記憶していないので、図４のステップＳ１２において、光ピックアップ１１が図２に示す矢印Ｐ２の地点から読み取りを開始するようにすればよい。
【００６９】
また、上記実施形態では、ＤＶＤ１５０が挿入された際に、分断された音声データを記憶部２０が記憶する例を示したが、これに限らず、ＤＶＤ１５０が再生される際に、分断された音声データを記憶部２０が記憶するようにしてもよい。
【００７０】
また、上記実施形態において、コンテンツの再生指令を受け付けた場合には、コンテンツの再生が停止されている状態で再生指令を受け付けた場合に加えて、コンテンツの再生中に、コンテンツの再生時刻を変更するような再生指令を受け付けた場合を含む。
【００７１】
また、上記実施形態では、所定の映像データに対して、同期再生される音声データが先に読み取られるようにシフトした状態で、音声データがＤＶＤ１５０に記録されている例を示したが、これに限らず、所定の音声データに対して、同期再生される映像データが先に読み取られるようにシフトした状態で、映像データがＤＶＤに記録されていてもよい。この場合には、ステップＳ６において、記憶部２０が、分断された音声データではなく、分断された映像データを記憶すればよい。そして、ステップＳ１１において、記憶部２０が、分断された映像データを映像バッファメモリ１３に出力すればよい。
【符号の説明】
【００７２】
１１      光ピックアップ（読取部）
１３      映像バッファメモリ
１４      音声バッファメモリ
２０      記憶部
２２      制御部
１００    ＤＶＤプレーヤ（再生装置）
１５０    ＤＶＤ（記憶媒体）
１５１ａ、１５２ａ、１５３ａ、１５４ａ、１５５ａ  音声データ
１５１ｂ、１５２ｂ、１５３ｂ、１５４ｂ、１５５ｂ  映像データ
１５６    所定のデータ
【図１】
2011015108.tif 000003
【図２】
2011015108.tif 000004
【図３】
2011015108.tif 000005
【図４】
2011015108.tif 000006
【図５】
2011015108.tif 000007
【図６】
2011015108.tif 000008